【手続補正書】
【提出日】平成18年7月19日(2006.7.19)
【手続補正１】
【補正対象書類名】明細書
【補正対象項目名】発明の名称
【補正方法】変更
【補正の内容】
【発明の名称】印刷データの拡大縮小機能を有する出力装置及び出力方法
【手続補正２】
【補正対象書類名】明細書
【補正対象項目名】特許請求の範囲
【補正方法】変更
【補正の内容】
【特許請求の範囲】
【請求項１】  印刷データを拡大又は縮小して出力する機能を備える出力装置において、
前記印刷データのうちのマージン部分を除いた画像部分のみの拡大又は縮小を設定する設定手段と、
前記設定手段により画像部分のみの拡大又は縮小が設定されている場合に、前記印刷データを拡大又は縮小するとともに、拡大又は縮小後の印刷データの画像部分のみの出力開始位置を、その印刷データの拡大前又は縮小前の画像部分のみの印刷開始位置と同位置に決定する制御手段と、
を設けたことを特徴とする出力装置。
【請求項２】  請求項１記載の出力装置において、
前記制御手段は、前記設定手段により印刷データの画像部分のみの拡大又は縮小が設定されている場合には、マージン部分の余白量を変化させないことを特徴とする出力装置。
【請求項３】  請求項１又は２記載の出力装置において、
マージン部分を印刷可能領域の外側としたことを特徴とする出力装置。
【請求項４】  印刷データを拡大又は縮小して出力する機能を備える出力装置において、
前記印刷データの印刷開始位置の変更の実施および不実施を設定する変更設定手段と、
前記印刷データのうちのマージン部分を除いた画像部分のみの拡大又は縮小を設定する設定手段と、
前記変更設定手段により、印刷開始位置の変更不実施が設定されている場合には、前記印刷データのうちのマージン部分を除いた画像部分のみの拡大又は縮小の設定が許容され、前記印刷データを拡大又は縮小するとともに、その拡大又は縮小の倍率に依存せずに画像部分のみの印刷開始位置を決定する制御手段と、
を設けたことを特徴とする出力装置。
【請求項５】  請求項４記載の出力装置において、
前記拡大又は縮小を設定する設定手段により前記印刷データの画像部分のみの拡大又は縮小の倍率が設定されている場合には、画像部分のみの拡大又は縮小前の印刷開始位置を、そのまま拡大又は縮小後の印刷開始位置に決定することを特徴とする出力装置。
【請求項６】  請求項４又は５記載の出力装置において、
前記拡大又は縮小を設定する設定手段により前記印刷データの画像部分のみの拡大又は縮小の倍率が設定されている場合には、前記印刷データのマージン部分の余白量は拡大又は縮小の倍率に応じて変化させないことを特徴とする出力装置。
【請求項７】  請求項４記載の出力装置において、
前記変更設定手段により印刷開始位置の変更の実施が設定されている場合には、前記印刷データの画像部分のみの拡大又は縮小の倍率設定を禁止することを特徴とする出力装置。
【請求項８】  請求項４記載の出力装置において、
前記制御手段は、さらに、前記変更設定手段により印刷開始位置の変更の実施が設定されている場合には、前記印刷データの拡大又は縮小の倍率に応じて印刷開始位置を変更することを特徴とする出力装置。
【請求項９】  印刷データを拡大又は縮小して出力する機能を備える出力装置において、
前記印刷データの印刷開始位置の変更の実施および不実施を設定する変更設定手段を有し、
前記変更設定手段により印刷開始位置の変更の不実施が設定されている場合には、前記印刷データのマージン部分を除いた画像部分のみの拡大又は縮小の設定が許容され、また、前記変更設定手段により印刷開始位置の変更の実施が設定されている場合には、前記印刷データのマージン部分を除いた画像部分のみの拡大又は縮小の設定が禁止されることを特徴とする出力装置。
【請求項１０】  ホストコンピュータから送信された印刷データを拡大又は縮小して出力する機能を備える出力装置において、
前記ホストコンピュータから受信した前記印刷データに印刷開始位置の変更不実施が設定され、かつ、マージン部分を除いた画像部分のみの拡大又は縮小が設定されていた場合には、受信した前記印刷データを拡大又は縮小するとともに、拡大又は縮小後の前記印刷データの画像部分のみの印刷開始位置を、その印刷データの拡大又は縮小の倍率に依存せずに決定する制御手段を設けたことを特徴とする出力装置。
【請求項１１】  請求項１０記載の出力装置において、
前記制御手段は、さらに、受信した前記印刷データに拡大又は縮小が設定されている場合には、拡大又は縮小後の画像部分のみの印刷開始位置を、印刷データの拡大前又は縮小前の画像部分のみの印刷開始位置と一致させる制御を行うことを特徴とする出力装置。
【請求項１２】  請求項１０又は１１記載の出力装置において、
前記制御手段は、受信した前記印刷データのうち画像部分のみの拡大又は縮小の倍率が設定されている場合には、前記マージン部分の余白量を変化させないことを特徴とする出力装置。
【請求項１３】  請求項１０記載の出力装置において、
前記制御手段は、さらに、受信した前記印刷データに印刷開始位置の変更実施が設定されている場合には、前記印刷データの拡大又は縮小の倍率に応じて画像部分の印刷開始位置を変更することを特徴とする出力装置。
【請求項１４】  印刷データのうちのマージン部分を除いた画像部分のみの拡大又は縮小を設定し、
続いて、設定に基づいて前記印刷データを拡大又は縮小し、
続いて、拡大又は縮小後の印刷データの画像部分のみの出力開始位置を、その印刷データの拡大前又は縮小前の画像部分のみの印刷開始位置と同位置に決定し、
この決定に従って印刷データを出力することを特徴とする出力方法。
【請求項１５】  印刷データの印刷開始位置の変更不実施を設定し、
この設定により、前記印刷データのうちのマージン部分を除いた画像部分のみの拡大又は縮小の設定を許容し、
この拡大又は縮小の設定の許容に基づいて前記印刷データを拡大又は縮小するとともに、その拡大又は縮小の倍率に依存せずに画像部分のみの印刷開始位置を決定し、
この決定に従って印刷データを出力することを特徴とする出力方法。
【請求項１６】  受信した印刷データに印刷開始位置の変更不実施、及びマージン部分を除いた画像部分のみの拡大又は縮小が設定されていた場合には、受信した前記印刷データを拡大又は縮小するとともに、拡大又は縮小後の前記印刷データの画像部分のみの印刷開始位置を、その印刷データの拡大又は縮小の倍率に依存せずに決定し、
この決定に従って印刷データを出力することを特徴とする出力方法。
【手続補正３】
【補正対象書類名】明細書
【補正対象項目名】０００１
【補正方法】変更
【補正の内容】
【０００１】
【発明の属する技術分野】
本発明は、印刷データを拡大・縮小して出力する機能を有する出力装置及び出力方法に関する。
【手続補正４】
【補正対象書類名】明細書
【補正対象項目名】００１０
【補正方法】変更
【補正の内容】
【００１０】
そこで、本発明は、印刷データを拡大・縮小する場合に、印刷データのうちのマージン部分を除く部分（画像部分）の出力開始位置を変えずにその部分のみを拡大・縮小することができ、これにより出力可能領域内で拡大できる範囲を広げることができ、さらに画像部分のみを拡大・縮小する場合のマージン部についての操作の煩わしさを軽減することができる印刷データの拡大縮小機能を有する出力装置及び出力方法を提供しようとするものである。
【手続補正５】
【補正対象書類名】明細書
【補正対象項目名】００１１
【補正方法】変更
【補正の内容】
【００１１】
【課題を解決するための手段】
本発明は、印刷データを拡大又は縮小して出力する機能を備える出力装置において、印刷データのうちのマージン部分を除いた画像部分のみの拡大又は縮小を設定する設定手段と、この設定手段により画像部分のみの拡大又は縮小が設定されている場合に、印刷データを拡大又は縮小するとともに、拡大又は縮小後の印刷データの画像部分のみの出力開始位置を、その印刷データの拡大前又は縮小前の画像部分のみの印刷開始位置と同位置に決定する制御手段を設けた出力装置にある。